(57)【要約】本発明は、パネルに取付いて、該パネルに可聴周波数の撓み波エネルギーを付加してパネルが音響出力を放射するようになっているモジュールであって、パネルに固定されるようになっているハウジングと、ハウジング上にあり、ハウジングをパネルにしっかりと固定するようになっている脚部手段と、ハウジング内にある電気機械式変換器と、ハウジング内の変換器を支持して、電気音響信号が印加される場合にパネルと接触して撓み波エネルギーを付加するようになっている手段と、ハウジング内にある音響信号増幅手段と、を備えるモジュールを提供する。
2004509542.tif 000002
【特許請求の範囲】
【請求項１】
パネルに取付けられ、前記パネルに可聴周波数の撓み波エネルギーを付加して前記パネルが音響出力を放射するようになっているモジュールであって、
前記パネルに固定されるようになっているハウジングと、
前記ハウジング上にあり、前記ハウジングを前記パネルにしっかりと固定するようになっている脚部手段と、
前記ハウジング内にある電気機械式変換器と、
前記ハウジング内の前記変換器を支持して、電気音響信号が印加される場合に前記パネルと接触して撓み波エネルギーを付加するようになっている手段と、
前記ハウジング内にある音響信号増幅手段と、
を備えることを特徴とするモジュール。
【請求項２】
前記脚部手段は、前記ハウジングを前記パネルに固定するための感圧接着パッドを備えることを特徴とする請求項１に記載のモジュール。
【請求項３】
前記脚部手段は、複数の間隔をあけて配置されている脚部を有することを特徴とする請求項１又は２に記載のモジュール。
【請求項４】
前記変換器は、マグネット及びコイル式であることを特徴とする請求項１から３のいずれか１項に記載のモジュール。
【請求項５】
前記変換器は慣性式であり、前記ハウジングにコンプライアント的に取付けられていることを特徴とする請求項４に記載のモジュール。
【請求項６】
前記変換器は、接着によりパネルに取付けられていることを特徴とする前記請求項のいずれか１項に記載のモジュール。
【請求項７】
前記ハウジングの前記パネル上への取付けは、コンプライアントであることを特徴とする前記請求項のいずれか１項に記載のモジュール。
【請求項８】
前記感圧接着手段の領域内の前記ハウジング部分は、弾性があることを特徴とする請求項２に従属する請求項７に記載のモジュール。
【請求項９】
前記ハウジングは、前記脚部手段を形成する周縁部内側に向けられた弾性フランジを有することを特徴とする請求項８に記載のモジュール。
【請求項１０】
前記音響信号増幅手段は、前記ハウジング内に弾性的に取付けられていることを特徴とする前記請求項のいずれか１項に記載のモジュール。
【請求項１１】
前記ハウジングは穿孔されており、前記パネルからの音響エネルギーが前記ハウジングを通ることができることを特徴とする前記請求項のいずれか１項に記載のモジュール。
【請求項１２】
前記ハウジングは、信号増幅手段に電力を供給するための少なくとも１つの乾電池を支持することを特徴とする前記請求項のいずれか１項に記載のモジュール。
【請求項１３】
前記変換器の周りに実質的に対称に配置され、前記変換器のサスペンス上の力の分布を等しくするのに役立つようになっている複数のバッテリを備えることを特徴とする請求項１２に記載のモジュール。
【請求項１４】
前記音響信号増幅手段に接続されている音響信号記憶手段を備えることを特徴とする前記請求項のいずれか１項に記載のモジュール。
【請求項１５】
移動又は接近検出手段を備え、音響信号増幅手段を起動するようになっていることを特徴とする前記請求項のいずれか１項に記載のモジュール。
【請求項１６】
剛性パネルと、前記パネルに取付けられて撓み波エネルギーを付加するようになった前記請求項のいずれか１項に記載のモジュールとを備えることを特徴とする撓み波ラウドスピーカ。
【請求項１７】
請求項１６に記載の撓み波ラウドスピーカを有することを特徴とする看板。
【発明の詳細な説明】
【０００１】
（技術分野）
本発明は、ラウドスピーカに関し、詳細には、ラウドスピーカ駆動装置に関する。
【０００２】
（背景技術）
本発明は、特に、例えば、ＷＯ／０９８４２に説明されている撓み波スピーカとして公知のラウドスピーカの類に関連する。
【０００３】
本発明の特定の目的は、小売店頭又は販売場所広告表示板等の表示サインの有用性を高めることにある。本発明の一般的な目的は、例えば、玩具、新型商品、及び販促品、販売場所又は小売店頭広告表示器等のための内蔵式であってもよく、安価で使い捨て可能な駆動ユニットを提供することである。
【０００４】
（発明の開示）
本発明によれば、パネルに取付いて、該パネルに可聴周波数の撓み波エネルギーを付加してパネルが音響出力を放射するようになっているモジュールであって、パネルに固定されるようになっているハウジングと、ハウジング上にあり、ハウジングをパネルにしっかりと固定するようになっている脚部手段と、ハウジング内にある電気機械式変換器と、ハウジング内の変換器を支持して、電気音響信号が印加される場合にパネルと接触して撓み波エネルギーを付加するようになっている手段と、ハウジング内にある音響信号増幅手段と、を備えるモジュールが提供される。
【０００５】
脚部手段は、ハウジングをパネルに固定するための感圧接着パッドを備えることができる。前記脚部手段は、連続するか又は複数の間隔をあけて配置されている脚部を有することができる。
【０００６】
変換器は、圧電式か又はマグネット及びコイル式であってもよい。変換器は慣性式であり、この場合、ハウジング上にコンプライアントに取付けることができ、又はハウジング上に接地することができる。変換器手段は、パネルに接着によって取付けることができる。つまり、変換器が電気力学式装置の場合、マグネットを介してハウジングにコンプライアントに取付けることができ、例えば、感圧パネル及びボイスコイルを介して、パネルに接着により固定することができる。
【０００７】
ハウジングのパネル上への取付けは、コンプライアントであることが好ましい。つまり、感圧接着手段の領域内のハウジング部分は弾性があってもよい。このことは、脚部手段を形成する周縁部内側に向けられた弾性フランジを有するハウジングを形成することによって実現できる。
【０００８】
音響信号増幅手段は、ハウジングに弾性的に固定することができる。
ハウジングは穿孔されており、パネルからの音響信号がハウジングを通ることができる。
【０００９】
ハウジングは、信号増幅手段に電力を供給するための１つ又はそれ以上の乾電池を支持することができる。これらのバッテリは、変換器の周りに実質的に対称に配置でき、変換器のサスペンション上の力を等しくするのに役立つようになっている。
本発明は、添付図面に概略的に例示されている。
【００１０】
（発明を実施するための最良の形態）
図１において、例えば、一般に剛性が高く軽量のボール紙等の材料で作られた小売店頭広告表示部等の表示板（９）の形態の剛性パネルを、表示を強化するために音響出力を可能にするように変えるモジュール（１２）が示されている。
【００１１】
モジュール（１２）は、ハウジングを表示板（９）の表面にしっかりと貼付できる感圧接着パッド（５）を有し、周縁部が内側に折り返されている複数の離間した弾性フランジ（１１）の形態の脚部手段が形成されている、例えば、硬質プラスチックの皿形部材の形態のハウジング（６）を有し、フランジ（１１）は、パネル（９）上のハウジング（６）のコンプライアント・サスペンションをもたらす。
【００１２】
ハウジング（６）は、マグネット組立体（１５）及びボイスコイル組立体（１６）を備える慣性式の電気音響変換器（１）を有する。変換器は、弾性サスペンション（２）によってハウジング（６）に連結され、ボイスコイル組立体は、感圧接着パッド（１３）によってボード（９）にしっかりと固定される。このようにして、変換器は、撓み波エネルギーをボード（９）に付加して音響出力を放射させる。ボード上のハウジングの弾性的な又はコンプライアントな取付けは、ハウジングが撓み波エネルギーを伝播するのを防ぎ、ハウジングの望ましくない意図しない振動を防ぐのに役立つ。つまり、ハウジングは、減衰又は質量付加をもたらし、パネル特性を改善するようになっている。
【００１３】
ハウジング（６）は、例えば、プリント回路基板（３）上に取付けられているＰＷＡ、即ちパルス幅増幅器等の信号増幅用電子機器（１８）、及び電力増幅器に電力を供給する電気バッテリ（８）を備える。プリント回路基板（３）は、ハウジング内のコンプライアント取付け具（４）に取付けられる。また、モジュールハウジング（６）は、音響増幅用電子機器（１８）に接続された音響信号記憶（１９）を有する。音響信号記憶手段は、例えば、テープ再生装置又はコンパクトディスク再生装置である。
【００１４】
ハウジングには開口（１０）が形成され、ボード（９）からの音響エネルギーが実質的に妨げられることなくハウジングを通るようになっている。電子機器（１８）が搭載されているプリント回路基板（３）には、同じ目的で開口が形成されている。増幅器（１３）への電源供給コネクタ（７）は、内蔵バッテリの使用に代わる手段として設けることができる。
【００１５】
図２には、表示板をラウドスピーカに変えるために表示板（９）に付加する、全体的には図１に示す種類のモジュール（１２）が示される。本実施形態において、モジュールハウジング（６）は、台座（１７）とハウジング（６）との間に連結された波形の弾性サスペンションと一緒に、周縁台座（１７）に設けられている粘着手段（図示せず）によって表示板（９）に取付けられる。ハウジング内のバッテリ（８）は、同様に変換器（１）の近くに取付けられ、変換器のサスペンション上の力の分布を等しくするのに役立つ。モジュールは、組立体が通行人の接近又は音声入力に応答できるように、ボード（９）上の任意の好都合の場所に固定されている外部センサ（２０）を備えており、センサは、例えば、ＰＩＲ、即ち受動型赤外線移動検知器、光電セル、又は検出マイクロフォン等の形態のセンサである。
【００１６】
モジュールは、表示板上に選択可能に配置でき、表示板に撓み波エネルギーを付加して、例えば、本出願人の国際特許出願ＷＯ９７／０９８４２に説明されている、有効な又は所望のモード分布及び動作可能周波数帯域に有利に結合する。
【００１７】
音響データを格納、受信、選択、及びデコードするためのメモリ及び信号処理装置である基板内の電子機器は、モジュール内に設けることができる。
変換器に音響出力を供給するための増幅器の出力は、例えば、０．１Ｗから１０Ｗであり、大型放熱器の必要性を低減するために高効率であることが好ましく、例えば、１Ｗ以上の高出力の場合にディジタル又はスイッチング技術を使用できる。
【００１８】
モジュールは、例えば、レベル又はデータチャンネルを調整するための制御回路を含むことができる。
プロセッサは、音響データ／プログラムを受信するためのデータ入力を有することができる。
【００１９】
作動状態を示すため又は追加情報を伝達するために、例えば、音響データの視覚的又は相補的読出しのためのランプ又はＬＥＤ又はフォーム又はデータ表示器を含むことができ、これは表示板又はパネルの開口を通して、又は部分的に又は全体的に半透明又は透明な表示パネルの選択によって指示される。
【００２０】
モジュールと共に使用される表示板又はパネルは、例えば、ＷＯ／０９８４２に説明されているように、音質を最高のものにするための分布モード原理／設計であることが好都合である。
【００２１】
モジュールは、完成スピーカ／音響再生システムの迅速かつ熟練を必要としない組立を実現するために、パネルに連結するモジュール及び変換器に関して、剥離式カバーが露出する接着面を有するように設計できる。
モジュールは、周縁部の連続的な接着シールを用いて防塵／防滴又は防水設計される。
【００２２】
（産業上の利用可能性）
従って、本発明は、表示板等の機能性を高めるために好都合な内蔵式モジュールを提供すると同時に、概して玩具、新型商品、及び販促品等における別の剛性パネル用の内蔵式スピーカ駆動装置を提供する。
【図面の簡単な説明】
【図１】
音響出力を生成するように表示板を変えるためのモジュールの第１の実施形態の横断面図である。
【図２】
モジュールの第２の実施形態の横断面図である。
【国際公開パンフレット】
2004509542.tif 000003
2004509542.tif 000004
2004509542.tif 000005
2004509542.tif 000006
2004509542.tif 000007
2004509542.tif 000008
2004509542.tif 000009
2004509542.tif 000010
2004509542.tif 000011
2004509542.tif 000012
2004509542.tif 000013
【国際公開パンフレット（コレクトバージョン）】
2004509542.tif 000014
【国際調査報告】
2004509542.tif 000015
2004509542.tif 000016
2004509542.tif 000017
2004509542.tif 000018